(57)【要約】      （修正有）【課題】水槽内の海水の水温を効率的に調整できる養殖システムの提供。【解決手段】養殖システム１００は、ポンプ１１０と、水槽１２０と、熱交換器１３０とを備える。ポンプ１１０は、海水ＳＷを汲み上げる。水槽１２０は、ポンプ１１０によって汲み上げられた海水ＳＷを貯留する。熱交換器１３０は、地下水および海水ＳＷとは異なる海水のうちの少なくとも一方を用いて、ポンプ１１０によって汲み上げられた海水ＳＷの水温を調整する。【選択図】図１
2019208373.tif 000002
【特許請求の範囲】
【請求項１】
海水を汲み上げるポンプと、
前記ポンプによって汲み上げられた海水を貯留する水槽と、
地下水および前記海水とは異なる海水のうちの少なくとも一方を用いて、前記ポンプによって汲み上げられた海水の水温を調整する熱交換器と
を備える、養殖システム。
【請求項２】
前記ポンプは、水深１ｍ以上１０ｍ以下の海水を汲み上げる、請求項１に記載の養殖システム。
【請求項３】
前記水槽は陸地に配置される、請求項１または２に記載の養殖システム。
【請求項４】
前記熱交換器は、前記地下水を用いて、前記ポンプによって汲み上げられた海水の水温を調整する、請求項１から３のいずれかに記載の養殖システム。
【請求項５】
前記ポンプによって汲み上げられる海水よりも深い位置の海水を汲み上げる深位置ポンプをさらに備える、請求項１から４のいずれかに記載の養殖システム。
【請求項６】
前記熱交換器は、前記深位置ポンプによって汲み上げられた海水を用いて、前記ポンプによって汲み上げられた海水の水温を調整する、請求項５に記載の養殖システム。
【発明の詳細な説明】
【技術分野】
【０００１】
本発明は、養殖システムに関する。
【背景技術】
【０００２】
近年、魚介類の漁獲量の減少が問題となっており、魚介類の養殖が注目されている。屋内または屋外に配置した水槽内において管理環境下で魚介類を養殖すると、通年にわたる安定生産およびトレーサビリティの確保された状況で魚介類を利用できる。
【０００３】
陸上または船上に設置された水槽内で養殖を行うことが検討されている（特許文献１参照）。特許文献１の養殖装置では、水槽内の水温はヒートポンプによって調整される。
【先行技術文献】
【特許文献】
【０００４】
【特許文献１】特開２０００−３１２５４２号公報
【発明の概要】
【発明が解決しようとする課題】
【０００５】
水槽内の水温は、海中の水温とは異なり、空気中の気温に応じて大きく変動する。このため、例えば、夏に水槽内の水温が上昇すると、特許文献１に記載された養殖装置ではヒートポンプを駆動して水槽内の水温を調整する必要がある。しかしながら、ヒートポンプで水槽の水温を調整すると、エネルギーの消費が大きく、水槽の水温を効率的に調整できなかった。
【０００６】
本発明は、上記課題に鑑みてなされたものであり、その目的は、水槽内の海水の水温を効率的に調整可能な養殖システムを提供することにある。
【課題を解決するための手段】
【０００７】
本発明による養殖システムは、ポンプと、水槽と、熱交換器とを備える。前記ポンプは、海水を汲み上げる。前記水槽は、前記ポンプによって汲み上げられた海水を貯留する。前記熱交換器は、地下水および前記海水とは異なる海水のうちの少なくとも一方を用いて、前記ポンプによって汲み上げられた海水の水温を調整する。
【０００８】
ある実施形態において、前記ポンプは、水深１ｍ以上１０ｍ以下の海水を汲み上げる。
【０００９】
ある実施形態において、前記水槽は陸地に配置される。
【００１０】
ある実施形態において、前記熱交換器は、前記地下水を用いて、前記ポンプによって汲み上げられた海水の水温を調整する。
【００１１】
ある実施形態において、前記ポンプによって汲み上げられる海水よりも深い位置の海水を汲み上げる深位置ポンプをさらに備える。
【００１２】
ある実施形態において、前記熱交換器は、前記深位置ポンプによって汲み上げられた海水を用いて、前記ポンプによって汲み上げられた海水の水温を調整する。
【発明の効果】
【００１３】
本発明によれば、水槽内の海水の水温を効率的に調整できる。
【図面の簡単な説明】
【００１４】
【図１】本発明による養殖システムの実施形態の模式図である。
【図２】（ａ）は、本実施形態の養殖システムにおける水槽の模式図であり、（ｂ）は、本実施形態の養殖システムにおける熱交換器の模式図である。
【図３】（ａ）および（ｂ）は、本実施形態の養殖システムにおける熱交換器の模式図である。
【図４】（ａ）は、水深の異なる海水の蛍光強度を示すグラフであり、（ｂ）は、水深の異なる海水の水温を示すグラフであり、（ｃ）は、水深の異なる海水の塩分を示すグラフであり、（ｄ）は、水深の異なる海水の溶存酸素量を示すグラフである。
【図５】本実施形態の養殖システムの模式図である。
【図６】本実施形態の養殖システムの模式図である。
【図７】本実施形態の養殖システムの模式図である。
【図８】本実施形態の養殖システムの模式図である。
【図９】本実施形態の養殖システムの模式図である。
【発明を実施するための形態】
【００１５】
以下、図面を参照して、本発明による養殖システムの実施形態を説明する。ただし、本発明は以下の実施形態に限定されない。
【００１６】
まず、図１を参照して、本実施形態の養殖システム１００を説明する。図１は、養殖システム１００の模式図である。養殖システム１００は、海洋生物の養殖に好適に用いられる。例えば、養殖システム１００は、貝の養殖に用いられる。また、養殖システム１００は、魚の養殖に用いられる。
【００１７】
養殖システム１００は、海Ｓまたは海岸ＳＬの近くの陸地Ｌに配置される。なお、図１では、海Ｓと陸地Ｌとの境界である海岸ＳＬには防波堤Ｂが設けられている。養殖システム１００は、ポンプ１１０と、水槽１２０と、熱交換器１３０とを備える。
【００１８】
ポンプ１１０は、海Ｓから海水ＳＷを汲み上げる。養殖システム１００において、配管Ｐ１は、海Ｓと水槽１２０とを連絡する。配管Ｐ１の一方の端部Ｐ１ａは海中に位置しており、配管Ｐ１の他方の端部Ｐ１ｂは水槽１２０の上方または水槽１２０の中に配置される。
【００１９】
ポンプ１１０は、配管Ｐ１に取り付けられる。ポンプ１１０の駆動により、海Ｓの海水ＳＷは、海Ｓから汲み上げられ、配管Ｐ１を通って水槽１２０に供給される。
【００２０】
水槽１２０は、ポンプ１１０によって汲み上げられた海水ＳＷを貯留する。水槽１２０は、断熱構造である。
【００２１】
ここでは、水槽１２０は陸地Ｌに配置される。この場合、水槽１２０は、海Ｓの近くに配置されることが好ましい。例えば、水槽１２０と海岸ＳＬとの距離は、１０ｍ以上１００ｍ以下であることが好ましく、１０ｍ以上５０ｍ以下であることがさらに好ましい。
【００２２】
水槽１２０内の海水ＳＷは、配管Ｐ２を通って水槽１２０から海Ｓに戻る。配管Ｐ２の一方の端部Ｐ２ａは水槽１２０に接続され、配管Ｐ２の他方の端部Ｐ２ｂは海中に配置される。水槽１２０内の海水ＳＷは、水槽１２０から配管Ｐ２を通って海Ｓに放出される。なお、配管Ｐ２にもポンプが取り付けられ、ポンプの駆動によって水槽１２０内の海水ＳＷが海Ｓに放出されてもよい。
【００２３】
このように、海水ＳＷは、配管Ｐ１を通って水槽１２０に供給される。一方、水槽１２０内の海水ＳＷは、配管Ｐ２を通って海に放出される。
【００２４】
養殖物Ｃは、水槽１２０内で養殖される。養殖物Ｃは、海Ｓで生育される海洋生物である。例えば、水槽１２０では、二枚貝が養殖される。一例として、水槽１２０ではマガキが養殖される。あるいは、水槽１２０では、海水魚が養殖される。一例として、水槽１２０ではフグが養殖される。
【００２５】
ポンプ１１０は、海Ｓから海水ＳＷを汲み上げ、配管Ｐ１を通って水槽１２０に海水ＳＷを供給する。これにより、水槽１２０内に海水ＳＷが貯留される。例えば、ポンプ１１０は、水槽１２０に海水ＳＷを１Ｌ／分以上１００Ｌ／分以下の速度で供給する。
【００２６】
例えば、水槽１２０の容積は１ｍ3以上１００００ｍ3以下である。なお、水槽１２０の深さは０．５ｍ以上５ｍ以下であることが好ましい。
【００２７】
水槽１２０内に所定量の海水ＳＷが貯留された場合、水槽１２０内の海水ＳＷは配管Ｐ２を通って海Ｓに放出される。なお、水槽１２０内で養殖物Ｃを養殖する場合、ポンプ１１０によって配管Ｐ１を通って水槽１２０に供給される海水ＳＷの量は、配管Ｐ２を通って水槽１２０から放出される海水ＳＷの量とほぼ等しいことが好ましい。
【００２８】
水槽１２０内の海水ＳＷが配管Ｐ２を通って端部Ｐ２ｂから海Ｓに戻る場合、海水ＳＷは、配管Ｐ２の端部Ｐ２ｂから海中に放出されてもよい。あるいは、配管Ｐ２の端部Ｐ２ｂの近傍に複数の貫通孔が設けられ、水槽１２０からの海水ＳＷは配管Ｐ２の貫通孔から海中に放出されてもよい。
【００２９】
熱交換器１３０は、ポンプ１１０によって汲み上げられた海水ＳＷとは異なる水を用いて、海水ＳＷの水温を調整する。ここでは、熱交換器１３０は、地下水ＧＷを用いて海水ＳＷの水温を調整する。
【００３０】
熱交換器１３０には、地下水ＧＷの流れる流路が設けられる。熱交換器１３０の流路は、入口から出口まで一つの経路で連絡する蛇行形状であってもよい。あるいは、熱交換器１３０の流路は、入口から出口まで複数の経路で連絡する分流形状であってもよい。例えば、熱交換器１３０は、少なくとも一方に流路となる加工部の設けられた２つの板を張り合わせることによって形成されてもよい。
【００３１】
ここでは、熱交換器１３０は、水槽１２０の内部に配置される。熱交換器１３０は、水槽１２０において、ポンプ１１０によって汲み上げられた海水ＳＷの水温を調整する。なお、熱交換器１３０の流路を流れる地下水ＧＷは、海水ＳＷと熱交換する一方で、海水ＳＷとは混ざらない。
【００３２】
ポンプ１１２は、地下Ｇから地下水ＧＷを汲み上げる。ここでは、ポンプ１１２は水中ポンプである。例えば、地下水ＧＷは井戸水である。地下水ＧＷの水温は、例えば、５℃以上２５℃以下である。
【００３３】
養殖システム１００において、配管Ｐ３は、地下Ｇの地下水脈ＧＶと熱交換器１３０とを連絡する。地下水脈ＧＶは地下Ｇに位置する。地下水脈ＧＶには地下水ＧＷが貯留している。典型的には、地下水ＧＷは、地下Ｇ内の不透水層上に位置する帯水層Ｇａに溜まっている。なお、図１では、地下水脈ＧＶを模式的に矩形状（容器状）に示している。
【００３４】
配管Ｐ３の一方の端部Ｐ３ａは地下水脈ＧＶに連絡しており、配管Ｐ３の他方の端部Ｐ３ｂは熱交換器１３０に接続される。ポンプ１１２は、配管Ｐ３に取り付けられる。ポンプ１１２によって汲み上げられた地下水ＧＷは熱交換器１３０に導入される。
【００３５】
熱交換器１３０内の地下水ＧＷは、熱交換器１３０から配管Ｐ４を通って外部に放出される。ここでは、地下水ＧＷは、熱交換器１３０から配管Ｐ４を通って海Ｓに放出される。配管Ｐ４の一方の端部Ｐ４ａは熱交換器１３０に接続されており、配管Ｐ４の他方の端部Ｐ４ｂは海中または海水面上方に配置される。
【００３６】
このように、地下水ＧＷは、配管Ｐ３を通って熱交換器１３０に供給される。その後、地下水ＧＷは、熱交換器１３０を通過し、配管Ｐ４を通って海に放出される。
【００３７】
ポンプ１１０およびポンプ１１２は、市販の電力で駆動されてもよい。あるいは、ポンプ１１０およびポンプ１１２は、養殖システム１００のために設置された太陽電池または潮汐発電機によって駆動されてもよい。
【００３８】
例えば、ポンプ１１０によって汲み上げられた海水ＳＷの水温が２８℃であり、地下水の水温が２０℃であり、熱交換器１３０の温度効率が０．５である場合、熱交換器１３０によって熱交換された海水ＳＷの水温は２４℃に低下する。このため、水槽１２０内の海水ＳＷの水温は、海Ｓの水温よりも低くできる。
【００３９】
例えば、養殖物として二枚貝（一例では、マガキ）を養殖する場合、夏には、海水の水温が高くなるため、水槽内で養殖する二枚貝が充分に生育しないことがある。同様に、魚（一例では、フグ）を養殖する場合、夏には、海水の水温が高くなるため、水槽内で養殖するフグが充分に生育しないことがある。
【００４０】
一方、典型的には、夏において、地下水の水温は、海水の水温よりも低い。このため、本実施形態の養殖システム１００では、地下水ＧＷを用いて、水槽１２０内の海水ＳＷの水温を調整することにより、海水ＳＷの水温を低くできる。このため、養殖物Ｃとして二枚貝または魚を充分に生育できる。
【００４１】
特に、水深の浅い海水には多くの植物性プランクトンが含まれる。水深の浅い海水の水温は気温の影響を大きく受けるため、気温が高いと、海水の水温も高くなる。本実施形態の養殖システム１００では、熱交換器１３０が、地下水ＧＷを用いて海水ＳＷの水温を調整することにより、植物性プランクトンの多い海水ＳＷを効率的に冷却できる。
【００４２】
一方、気温が低いと、水深の浅い海水ＳＷの水温が低くなり、相対的に、地下水ＧＷの水温が水深の浅い海水ＳＷの水温よりも高くなることがある。本実施形態の養殖システム１００では、熱交換器１３０が、地下水ＧＷを用いて海水ＳＷの水温を調整することにより、植物性プランクトンの多い海水ＳＷを効率的に暖めることができる。
【００４３】
このように、本実施形態の養殖システム１００によれば、年間を通じて水槽１２０内の海水ＳＷの水温を安定的に維持できる。このため、気温にかかわらず、水槽１２０内で養殖物Ｃを効率的に生育できる。
【００４４】
なお、配管Ｐ１の端部Ｐ１ａは、海水面から水深１〜３ｍよりも深い位置に配置されることが好ましい。海水面にはゴミが多いため、配管Ｐ１の端部Ｐ１ａを水深１〜３ｍに配置することにより、ゴミが配管Ｐ１内を流れることを抑制できる。また、典型的には、水深１〜３ｍの海水では、植物性プランクトン濃度が高く、溶存酸素量が高いため、配管Ｐ１の端部Ｐ１ａから水深１〜３ｍの海水を水槽１２０のための海水ＳＷとして利用することにより、水槽１２０内で養殖物Ｃの養殖に適した環境を実現できる。
【００４５】
また、水深１〜３ｍの海水では、塩分が充分に高いため、水深１〜３ｍの海水を水槽１２０のための海水ＳＷとして利用することにより、水槽１２０内で海洋生物の養殖に適した環境を実現できる。さらに、典型的には、水深１〜３ｍの水温は海水面の水温よりも低いため、配管Ｐ１の端部Ｐ１ａから水深１〜３ｍの海水を海水ＳＷとして利用することにより、気温が高い場合に地下水ＧＷをそれほど使用しなくても、水槽１２０内の海水ＳＷの水温を低くできる。
【００４６】
本実施形態の養殖システム１００は、二枚貝の養殖に好適に用いられる。二枚貝は、海水ＳＷ中の植物性プランクトンを餌とする。このため、二枚貝を養殖する場合は、海水ＳＷ以外に二枚貝の餌を給餌することなく二枚貝を養殖できる。また、二枚貝は、海水ＳＷ中の懸濁物である植物性プランクトンを摂食するため、水槽１２０から放出される海水ＳＷから懸濁物を除去でき、海水ＳＷの透明度を高めることができる。
【００４７】
二枚貝を養殖する場合、水槽１２０に供給される海水ＳＷ内の植物性プランクトン濃度が比較的高いことが好ましい。また、水槽１２０に供給される海水ＳＷの溶存酸素量は比較的高いことが好ましい。さらに、水槽１２０に供給される海水ＳＷの塩分は海中（例えば、水深０ｍ以上１０ｍ以下）の塩分と同程度であることが好ましい。例えば、海水ＳＷの塩分は２８ｐｓｕ以上３５ｐｓｕ以下であることが好ましい。二枚貝を養殖する場合、水槽１２０内の海水ＳＷの水温を調整することにより、二枚貝を充分に生育できる。
【００４８】
なお、水槽１２０から放出される海水ＳＷは、海中の水深の深い位置で放出されることが好ましい。例えば、配管Ｐ２の端部Ｐ２ｂは、水深の深い地点に位置することが好ましい。この場合、配管Ｐ２の端部Ｐ２ｂから放出される海水ＳＷは鉛直循環流を形成し、底層貧酸素水塊の発生を抑制できる。
【００４９】
一例として、配管Ｐ２の端部Ｐ２ｂは、海水面から水深５ｍ以上深い地点に配置される。例えば、配管Ｐ２の端部Ｐ２ｂは、海水面から水深５ｍ以上２０ｍ以下の地点に配置されることが好ましく、海水面から水深５ｍ以上１０ｍ以下の地点に配置されることがさらに好ましい。
【００５０】
海水ＳＷは、もともと比較的浅い海水であり、海水密度が低い。このため、配管Ｐ２の端部Ｐ２ｂから放出される海水ＳＷの海水密度は、海底の海水密度よりも低い。また、配管Ｐ２の端部Ｐ２ｂから放出される海水ＳＷの溶存酸素量は、海底における海水の溶存酸素量よりも高い。したがって、海水ＳＷを海中の水深の深い地点で放出することにより、海底の海水を循環でき、海底の溶存酸素量を増加できる。また、海水ＳＷが、海中の水深の深い地点で放出されることにより、海水ＳＷ中に残った植物性プランクトンにより、海底の溶存酸素量を増加できる。
【００５１】
特に、夏の海底では、溶存酸素量が低下することが知られている。夏には、海水面付近に多く発生した植物プランクトンの死骸が海底に沈むと、海底において好気性分解が生じ、酸素が消費される。また、夏の海底では、泥の酸素吸収量も増大する。しかしながら、本実施形態の養殖システム１００では、海底の溶存酸素量を増加できるため、特に夏における海底の溶存酸素量の低減を抑制できる。
【００５２】
養殖システム１００では、水槽１２０の海水ＳＷを防波堤Ｂ近傍の海Ｓに戻すために、防波堤Ｂ近傍の海水の溶存酸素量が増加する。このため、防波堤Ｂ近傍の海Ｓに魚が住みやすくなることから、防波堤Ｂ近傍の海Ｓが漁場として好適に利用される。
【００５３】
本実施形態の養殖システム１００は、特に、都市部臨界地域で好適に用いられる。都市部臨界地域は、養殖物の販売地域・消費地域に近いだけでなく、海水の植物性プランクトン濃度が高い。このため、植物性プランクトンを直接的に餌とする二枚貝の養殖に適している。
【００５４】
また、特に大都市近郊では、臨海地域であっても、漁業権がない地域がある。しかしながら、本実施形態の養殖システム１００では、漁業権がない地域でも、魚介類を養殖できる。
【００５５】
例えば、養殖物Ｃが二枚貝である場合、水槽１２０内の海水ＳＷの塩分は２５ｐｓｕ以上に設定され、水槽１２０内の海水ＳＷの水温は２０℃以上２７℃以下に設定されることが好ましい。
【００５６】
なお、水槽１２０には、養殖物Ｃの糞または偽糞を浄化する浄化生物Ｐｒを入れることが好ましい。例えば、養殖物Ｃが二枚貝である場合、浄化生物Ｐｒとして水槽１２０にナマコが入れられる。この場合、養殖システム１００は、二枚貝とともにナマコも養殖する。
【００５７】
配管Ｐ１は、海水面に浮上する浮遊部材１１４に保持されることが好ましい。一般に、海水面の高さは、潮の満ち引きに応じて変化する。例えば、海水面の高さの変動の比較的小さい湾岸部においても、潮の満ち引きに応じて海水面の高さは１ｍ程度変化する。このため、例えば、防波堤Ｂに対して配管Ｐ１の高さが固定されていると、海水面の高さの変動に応じて、配管Ｐ１から異なる水深位置の海水が汲み上げられることになる。一方、配管Ｐ１が、海水面に浮上する浮遊部材１１４に保持されることにより、配管Ｐ１の端部Ｐ１ａの水深をほぼ一定に維持できるため、潮の満ち引きにかかわらず、特性の変動の少ない海水ＳＷを水槽１２０に供給できる。
【００５８】
配管Ｐ１には、配管Ｐ１を流れる海水ＳＷを検知するセンサ１４２が設けられることが好ましい。例えば、センサ１４２は、海水ＳＷの流量、水温、塩分、酸素濃度、および、海水ＳＷ中に含まれる植物性プランクトンの濃度の少なくとも１つを検知する。例えば、海水ＳＷ中に含まれる植物性プランクトンの濃度は、クロロフィル蛍光センサを用いて計測できる。
【００５９】
また、配管Ｐ２には、配管Ｐ２を流れる海水ＳＷを検知するセンサ１４４が設けられることがさらに好ましい。例えば、センサ１４４は、海水ＳＷの流量、水温、塩分、酸素濃度、および、海水ＳＷ中に含まれる植物性プランクトンの濃度の少なくとも１つを検知する。
【００６０】
センサ１４２の検知結果とセンサ１４４の検知結果との比較から、水槽１２０内の養殖物Ｃの生育状況を計測できる。例えば、センサ１４２において検知された植物性プランクトン濃度とセンサ１４４において検知された植物性プランクトン濃度との差分から、水槽１２０内で養殖物Ｃによって消費された植物性プランクトンの量を計測できる。
【００６１】
また、センサ１４２およびセンサ１４４の検知結果に基づいて、海水ＳＷおよび／または地下水ＧＷの流量を調整してもよい。例えば、センサ１４２によって検知された海水ＳＷの水温が比較的高い場合、ポンプ１１２を駆動して地下水ＧＷの汲み上げを開始してもよい。また、センサ１４４によって検知された海水ＳＷの水温が所定値よりも低くなった場合、ポンプ１１２の駆動を終了して地下水ＧＷの汲み上げを終了してもよい。
【００６２】
一例では、センサ１４２によって検知された海水ＳＷの水温が２７℃を超えた場合、ポンプ１１２を駆動して地下水ＧＷの汲み上げを開始してもよい。また、センサ１４４によって検知された海水ＳＷの水温が２０℃より低くなった場合、ポンプ１１２の駆動を終了して地下水ＧＷの汲み上げを終了してもよい。
【００６３】
さらに、養殖システム１００は、養殖物Ｃの重量を計測するための重量計をさらに備えることが好ましい。例えば、養殖物Ｃが二枚貝である場合、二枚貝は、支持部材１５２に支持されたロープ１５４が海水ＳＷ中に懸架され、ロープ１５４には二枚貝が付着される。重量計は、支持部材１５２、ロープ１５４および二枚貝を上方から支持することにより、支持部材１５２、ロープ１５４および二枚貝の重量を計測できる。なお、養殖物Ｃが海水魚である場合、重量計は、水槽１２０、海水ＳＷおよび養殖物Ｃを下方から支持することにより、水槽１２０、海水ＳＷおよび養殖物Ｃの重量を計測してもよい。
【００６４】
配管Ｐ２は、水槽１２０の下方において水槽１２０と連結することが好ましい。配管Ｐ２と水槽１２０との連結箇所が水槽１２０の下方に位置することにより、配管Ｐ１から水槽１２０に供給された海水ＳＷは水槽１２０内を上下方向にわたって移動して配管Ｐ２を流れるため、水槽１２０内の海水ＳＷの特性を均一にできる。
【００６５】
このため、水槽１２０内の海水ＳＷの水温、溶存酸素量および植物性プランクトン濃度等を水槽１２０全体でほぼ均一化でき、水槽１２０全体を養殖物Ｃの生育領域として好適に利用できる。また、配管Ｐ２と水槽１２０との連結箇所が水槽１２０の下方に位置することにより、養殖物Ｃの糞または偽糞が水槽１２０に滞留することを抑制でき、長期間にわたって清潔な水槽１２０内で養殖物Ｃを養殖できる。
【００６６】
なお、図１を参照した上述の説明では、配管Ｐ２の端部Ｐ２ｂは海中に配置されたが、本実施形態はこれに限定されない。配管Ｐ２の端部Ｐ２ｂは海水面の上方に配置されてもよい。
【００６７】
また、配管Ｐ１を通って水槽１２０に供給される海水ＳＷの流量は、配管Ｐ２を通って熱交換器１３０に供給される地下水ＧＷの流量とほぼ等しくてもよい。海水ＳＷの流量が地下水ＧＷの流量とほぼ等しいことにより、水槽１２０内の海水ＳＷの水温を一定に調整できる。
【００６８】
地下水ＧＷとして地下海水を用いてもよい。地下海水は、一般的な地下水と比べて塩分が高いものの、海水ほどには塩分は高くはない。このため、地下海水は、水槽１２０内に貯留される海水ＳＷとしてではなく、海水ＳＷの水温調整のために熱交換器１３０で用いられることが好ましい。
【００６９】
図２（ａ）は、本実施形態の養殖システム１００における水槽１２０の模式図である。図２（ａ）に示すように、水槽１２０は、調整領域１２０ａと、養殖領域１２０ｂとを含む。調整領域１２０ａでは、海水ＳＷの水温が調整される。養殖領域１２０ｂでは、養殖物が生育される。
【００７０】
調整領域１２０ａと養殖領域１２０ｂとの間には堰１２０ｃが配置される。典型的には、水槽１２０のうち調整領域１２０ａの占める割合は１％以上１０％以下であり、養殖領域１２０ｂの占める割合は９０％以上９９％以下である。
【００７１】
堰１２０ｃは、水槽１２０の底面に接触しており、水槽１２０の下方において調整領域１２０ａと養殖領域１２０ｂとは連絡しない。一方で、堰１２０ｃの高さは水槽１２０の内壁の高さよりも小さいため、水槽１２０の上方において調整領域１２０ａと養殖領域１２０ｂとは連絡する。
【００７２】
水槽１２０の調整領域１２０ａには熱交換器１３０が配置される。熱交換器１３０は、水槽１２０の底面とは接触しない。例えば、熱交換器１３０は、水槽１２０の内壁側部に支持される。あるいは、熱交換器１３０は、水槽１２０の底面と接触しないように上方から支持されてもよい。
【００７３】
海水ＳＷは、配管Ｐ１を通って調整領域１２０ａに供給される。海水ＳＷは、調整領域１２０ａにおいて熱交換器１３０によって地下水ＧＷと熱交換され、海水ＳＷの水温は調整される。その後、水温の調整された海水ＳＷは、調整領域１２０ａから堰１２０ｃを超えて養殖領域１２０ｂに到達する。水槽１２０の養殖領域１２０ｂには養殖物が導入される。海水ＳＷは、養殖領域１２０ｂにおいて養殖物の生育に用いられる。その後、海水ＳＷは、配管Ｐ２を通って水槽１２０から外部に放出される。
【００７４】
図２（ａ）に示したように、堰１２０ｃは、水槽１２０の底面に接触し、水槽１２０の底面において調整領域１２０ａと養殖領域１２０ｂとは連絡しない一方で、熱交換器１３０は、水槽１２０の底面に接触しない。このため、配管Ｐ１から調整領域１２０ａに供給された海水ＳＷは、熱交換器１３０の周囲を流れて、熱交換器１３０の地下水ＧＷと充分に熱交換された後で、養殖領域１２０ｂに移動する。
【００７５】
図２（ｂ）は、本実施形態の養殖システム１００における熱交換器１３０の模式図である。図２（ｂ）に示すように、熱交換器１３０には、地下水ＧＷの流れる流路１３２が設けられる。
【００７６】
流路１３２の入口１３２ａは、配管Ｐ３の端部Ｐ３ｂと接続する。流路１３２の出口１３２ｂは、配管Ｐ４の端部Ｐ４ａと接続する。ここでは、熱交換器１３０の流路１３２は、入口１３２ａから出口１３２ｂまで一つの経路で連絡する。配管Ｐ３を通過した地下水ＧＷは、入口１３２ａから出口１３２ｂまで流路１３２を通過し、配管Ｐ４から外部に流れる。
【００７７】
図３（ａ）は、本実施形態の養殖システム１００における熱交換器１３０の模式図である。熱交換器１３０の流路１３２は、熱交換器１３０の側部において配管Ｐ３および配管Ｐ４と連絡する。
【００７８】
熱交換器１３０の入口１３２ａおよび出口１３２ｂは、熱交換器１３０の側部に位置する。熱交換器１３０の流路１３２は、入口１３２ａから出口１３２ｂまで一つの経路で連絡する。配管Ｐ３を通過した地下水ＧＷは、入口１３２ａから出口１３２ｂまで流路１３２を通過し、配管Ｐ４から外部に流れる。
【００７９】
熱交換器１３０の上部には把持部１３４が設けられることが好ましい。把持部１３４により、熱交換器１３０を容易に移動できるため、水槽１２０内の熱交換器１３０近傍を容易に清掃できる。
【００８０】
図３（ｂ）は、本実施形態の養殖システム１００における熱交換器１３０の模式図である。熱交換器１３０の流路１３２は、熱交換器１３０の上部において配管Ｐ３および配管Ｐ４と連絡する。
【００８１】
熱交換器１３０の入口１３２ａおよび出口１３２ｂは、熱交換器１３０の上部に位置する。熱交換器１３０の流路１３２は、入口１３２ａから出口１３２ｂまで一つの経路で連絡する。配管Ｐ３を通過した地下水ＧＷは、入口１３２ａから出口１３２ｂまで流路１３２を通過し、配管Ｐ４から外部に流れる。
【００８２】
熱交換器１３０の上部には把持部１３４が設けられることが好ましい。把持部１３４により、熱交換器１３０を容易に移動できるため、水槽１２０内の熱交換器１３０近傍を容易に清掃できる。
【００８３】
ここで、図４（ａ）から図４（ｄ）を参照して、初夏の海水を測定した結果を説明する。ここでの測定結果は、２０１５年５月２７日に大阪貝塚地先海域における海水を測定した結果である。
【００８４】
図４（ａ）は、水深の異なる海水中に存在するクロロフィルａの蛍光強度を示すグラフである。蛍光強度と植物性プランクトン（クロロフィルａ）の量との間には正の相関関係がある。図４（ａ）に示すように、蛍光強度は、水深０．０〜１．０ｍの範囲で若干増加した。また、蛍光強度は、水深が２．０〜３．０ｍの範囲で急激に増加し、水深３．０ｍをピークとして、水深３．０ｍ〜９．０ｍの範囲では水深が深くなるほど減少した。図４（ａ）から、植物性プランクトンの量は、水深２．０ｍ〜７．０ｍの範囲で多く、水深３．０ｍ付近でピークとなることがわかる。
【００８５】
図４（ｂ）は、水深の異なる海水の水温を示すグラフである。図４（ｂ）に示すように、水温は、水深０．０ｍ〜９．０ｍの範囲で水深が深くなるほど低下した。例えば、水深２．０ｍ付近では、水温は海水面と比べて約２℃低下し、水深３．０ｍ付近では、水温は海水面と比べて約４℃低下した。
【００８６】
図４（ｃ）は、水深の異なる海水の塩分を示すグラフである。図４（ｃ）に示すように、塩分は、水深が１．０〜２．０ｍの範囲で急激に増加し、水深１．０ｍ〜８．０ｍの範囲では水深が深くなるほど増加した。塩分のピークは水深８．０ｍであった。
【００８７】
図４（ｄ）は、水深の異なる海水の溶存酸素量を示すグラフである。図４（ｄ）に示すように、溶存酸素量は、水深が１．０〜２．０ｍになると急激に増加し、１．０〜４．０ｍの範囲では水深が深くなるほど増加した。また、溶存酸素量は、水深３．０ｍ〜４．０ｍをピークとして、水深４．０ｍ〜９．０ｍの範囲では水深が深くなるほど減少した。
【００８８】
図４（ａ）〜図４（ｄ）に示した結果から、水深１ｍ以上１０ｍ以下の海水は、植物性プラクトンの量が多く、水温も低く、塩分も高く、溶存酸素量も低くない。このため、海水生物を養殖する場合、水深１ｍ以上１０ｍ以下の海水が好適に用いられることが理解される。特に、水深１ｍ以上５ｍ以下の海水は、植物性プラクトンの量が多く、水温も低く、塩分も高く、溶存酸素量も多い。このため、海水生物を養殖する場合、水深１ｍ以上５ｍ以下の海水が好適に用いられる。
【００８９】
なお、図１〜図３を参照して上述した説明したように、熱交換器１３０は水槽１２０内に配置されることが好ましい。熱交換器１３０が水槽１２０内に配置されることにより、熱交換器１３０の外面全体が水槽１２０の海水ＳＷと接触する。このため、熱交換器１３０は、高い温度効率で海水ＳＷの水温を調整できる。
【００９０】
ただし、熱交換器１３０は水槽１２０内に配置されなくてよい。熱交換器１３０は水槽１２０の外に配置されてもよい。
【００９１】
以下、図５を参照して、本実施形態の養殖システム１００を説明する。図５は、本実施形態の養殖システム１００の模式図である。養殖システム１００は、熱交換器１３０が水槽１２０の外に配置されている点を除いて、図１を参照して上述した養殖システム１００と同様の構成を有する。このため、冗長な説明を避ける目的で重複する記載を省略する。
【００９２】
本実施形態の養殖システム１００において、熱交換器１３０は、水槽１２０の外に配置される。熱交換器１３０は、水槽１２０の外であって、陸地Ｌに配置される。熱交換器１３０は、陸地Ｌの地面の上に配置されてもよく、あるいは、陸地Ｌの地面に支持される部材の上に配置されてもよい。
【００９３】
ポンプ１１０は、海Ｓから海水ＳＷを汲み上げる。配管Ｐ１は、海Ｓと水槽１２０とを連絡する。熱交換器１３０は、配管Ｐ１の端部Ｐ１ａと端部Ｐ１ｂとの間に位置する。海水ＳＷは、熱交換器１３０を通過した後、水槽１２０に供給される。
【００９４】
配管Ｐ１は、熱交換器１３０を通過する。また、配管Ｐ３は、熱交換器１３０を通過する。熱交換器１３０は、地下水ＧＷを用いて海水ＳＷの水温を調整する。熱交換器１３０において、配管Ｐ１を通過する海水ＳＷと配管Ｐ３を通過する地下水ＧＷとの間で熱交換が行われる。なお、ここでも、熱交換器１３０は、海水ＳＷは地下水ＧＷと混ざることなく海水ＳＷの水温を調整する。このため、養殖システム１００では、水槽１２０内の海水ＳＷの水温を効率的に調整できる。
【００９５】
水槽１２０内の海水ＳＷは、配管Ｐ２を通って水槽１２０から海Ｓに戻る。上述したように、配管Ｐ２にはポンプが取り付けられ、ポンプの駆動によって水槽１２０内の海水ＳＷが海Ｓに放出されてもよい。この場合、配管Ｐは、鉛直上方に曲がる曲線部を有することが好ましい。配管Ｐ２の曲線部により、停電等によって配管Ｐ２のポンプの駆動が突然終了しても、水槽１２０内の海水ＳＷが自動的に配管Ｐ２を通過して海Ｓまで移動することを抑制できる。
【００９６】
なお、図１および図５に示した養殖システム１００では、熱交換器１３０で用いた地下水ＧＷは海Ｓに流れたが、本発明はこれに限定されない。熱交換器１３０で用いた地下水ＧＷは再び地下Ｇに戻されてもよい。
【００９７】
以下、図６を参照して、本実施形態の養殖システム１００を説明する。図６は、本実施形態の養殖システム１００の模式図である。養殖システム１００は、熱交換器１３０で用いた地下水ＧＷを再び地下Ｇに戻す点を除いて、図１を参照して上述した養殖システム１００と同様の構成を有する。このため、冗長な説明を避ける目的で重複する記載を省略する。
【００９８】
養殖システム１００において、海水ＳＷの水温が比較的高く、地下水脈ＧＶの地下水ＧＷの水温が海水ＳＷの水温よりも低い場合、ポンプ１１２は、地下Ｇから地下水脈ＧＶの地下水ＧＷを汲み上げる。養殖システム１００において、配管Ｐ３は、地下水脈ＧＶと熱交換器１３０とを連絡する。配管Ｐ３の端部Ｐ３ａは地下水脈ＧＶに連絡しており、配管Ｐ３の端部Ｐ３ｂは熱交換器１３０に接続される。ポンプ１１２は、配管Ｐ３に取り付けられる。ポンプ１１２によって汲み上げられた地下水ＧＷは熱交換器１３０に導入される。このとき、地下水ＧＷは、図６の実線で示した矢印にしたがって地下水脈ＧＶから熱交換器１３０に導入される。
【００９９】
熱交換器１３０内の地下水ＧＷは、熱交換器１３０から配管Ｐ４を通って外部に放出される。配管Ｐ４は、熱交換器１３０と地下水脈ＧＶＡとを連絡する。配管Ｐ４の端部Ｐ４ａは、熱交換器１３０に接続されており、配管Ｐ４の端部Ｐ４ｂは、地下Ｇの地下水脈ＧＶＡに連絡している。熱交換器１３０の地下水ＧＷは、配管Ｐ４を通って熱交換器１３０から地下Ｇの地下水脈ＧＶＡに流れる。したがって、地下水脈ＧＶの地下水ＧＷは、図６の実線で示した矢印にしたがって地下水脈ＧＶから熱交換器１３０を通過して地下水脈ＧＶＡに流れる。例えば、夏に、ポンプ１１２を駆動することで、地下水脈ＧＶの地下水ＧＷは熱交換器１３０を通過して地下水脈ＧＶＡに流れる。
【０１００】
なお、熱交換器１３０で用いる地下水ＧＷの汲み上げられた地下水脈ＧＶは、熱交換器１３０で用いた後に地下水ＧＷの流される地下水脈ＧＶＡから離れていることが好ましい。地下Ｇに戻された地下水ＧＷは、典型的には、汲み上げられた地下水ＧＷと同じ帯水層Ｇａに保持される。
【０１０１】
一般に、海岸近傍の地下に位置する帯水層Ｇａの水は、陸から海に向かって、１年間あたり約２０ｍ移動する。このため、配管Ｐ３と連絡する地下水脈ＧＶと配管Ｐ４と連絡する地下水脈ＧＶＡとの距離は、帯水層Ｇａ内の水の年間移動速度よりも離れていることが好ましい。例えば、配管Ｐ３の端部Ｐ３ａと配管Ｐ４の端部Ｐ４ｂとの距離は、２０ｍ以上２００ｍ以下であることが好ましく、５０ｍ以上２００ｍ以下であることがさらに好ましく、１００ｍ以上２００ｍ以下であることがさらに好ましい。
【０１０２】
例えば、夏に、地下水脈ＧＶの地下水ＧＷを用いて海水ＳＷの温度を低下させた場合、地下水脈ＧＶＡに流される地下水ＧＷの温度は、地下水脈ＧＶの地下水ＧＷの温度よりも高い。この場合、冬に、地下水脈ＧＶＡの地下水ＧＷを用いて海水ＳＷの温度を上昇させてもよい。
【０１０３】
養殖システム１００において、海水ＳＷの水温が比較的低く、地下水脈ＧＶＡの地下水ＧＷの水温が海水ＳＷの水温よりも高い場合、ポンプ１１２Ａは、地下Ｇの地下水脈ＧＶＡから地下水ＧＷを汲み上げる。ポンプ１１２Ａは、配管Ｐ４に取り付けられる。ポンプ１１２Ａによって汲み上げられた地下水ＧＷは配管Ｐ４を通って熱交換器１３０に導入される。このとき、地下水ＧＷは、図６の破線で示した矢印にしたがって地下水脈ＧＶＡから熱交換器１３０に導入される。
【０１０４】
熱交換器１３０内の地下水ＧＷは、熱交換器１３０から配管Ｐ３を通って外部に放出される。ここでは、地下水ＧＷは、熱交換器１３０から配管Ｐ３を通って地下水脈ＧＶに流れる。したがって、地下水脈ＧＶＡの地下水ＧＷは、図６の破線で示した矢印にしたがって地下水脈ＧＶＡから熱交換器１３０を通過して地下水脈ＧＶに流れる。例えば、冬に、ポンプ１１２Ａを駆動することで、地下水脈ＧＶＡの地下水ＧＷは熱交換器１３０を通過して地下水脈ＧＶに流れる。このように、海水ＳＷの水温の調整方向に応じてポンプ１１２およびポンプ１１２Ａのいずれかを駆動して、熱交換器１３０を用いて海水ＳＷの水温を調整してもよい。
【０１０５】
なお、図１、図５および図６に示した養殖システム１００では、熱交換器１３０は、水槽１２０の内および水槽１２０の外のいずれかに配置されたが、本発明はこれに限定されない。熱交換器は、水槽１２０の内および水槽１２０の外の両方に配置されてもよい。
【０１０６】
また、図１、図５および図６に示した養殖システム１００では、熱交換器１３０は、地下水ＧＷを用いて海水ＳＷの水温を調整したが、本発明はこれに限定されない。熱交換器は、地下水ＧＷ以外の水を用いて、ポンプ１１０によって汲み上げられた海水ＳＷの水温を調整してもよい。
【０１０７】
以下、図７を参照して、本実施形態の養殖システム１００を説明する。図７は、本実施形態の養殖システム１００の模式図である。養殖システム１００は、ポンプ１１０によって汲み上げた海水ＳＷの水温を、海水ＳＷとは異なる海水を用いて調整する熱交換器１３０Ａをさらに備える点を除いて、図１を参照して上述した養殖システム１００と同様の構成を有する。このため、冗長な説明を避ける目的で重複する記載を省略する。
【０１０８】
養殖システム１００は、ポンプ１１０、水槽１２０および熱交換器１３０に加えて熱交換器１３０Ａをさらに備える。熱交換器１３０は、ポンプ１１０によって汲み上げられた地下水ＧＷを用いて、海水ＳＷの水温を調整する。ここでは、熱交換器１３０は、水槽１２０内に配置される。
【０１０９】
一方、熱交換器１３０Ａは、水槽１２０から離れた陸地Ｌに配置される。典型的には、熱交換器１３０Ａは、陸地Ｌのうちの海岸ＳＬ近傍に配置される。
【０１１０】
熱交換器１３０Ａは、配管Ｐ１と連絡する。また、熱交換器１３０Ａは、配管Ｐ５と連絡する。
【０１１１】
深位置ポンプ１１２Ｂは、海Ｓから海水ＳＤＷを汲み上げる。配管Ｐ５は、海Ｓと熱交換器１３０Ａとを連絡する。配管Ｐ５の一方の端部Ｐ５ａは海中に配置されており、配管Ｐ５の他方の端部Ｐ５ｂは熱交換器１３０Ａに接続される。深位置ポンプ１１２Ｂは、配管Ｐ５に取り付けられる。
【０１１２】
配管Ｐ５の端部Ｐ５ａは、配管Ｐ１の端部Ｐ１ａよりも深い位置に配置される。例えば、配管Ｐ１の端部Ｐ１ａが水深１ｍ以上１０ｍ以下の位置に配置される場合、配管Ｐ５の端部Ｐ５ａは、水深１５ｍ以上３０ｍ以下の位置に配置されることが好ましい。
【０１１３】
熱交換器１３０Ａは、深位置ポンプ１１２Ｂによって汲み上げられた海水ＳＤＷを用いて、ポンプ１１０によって汲み上げた海水ＳＷの水温を調整する。深位置ポンプ１１２Ｂは、ポンプ１１０よりも水深の深い位置の海水ＳＤＷを汲み上げる。このため、海水ＳＤＷの水温は海水ＳＷの水温よりも低い。また、海水ＳＤＷの塩分は海水ＳＷの塩分よりも低い。さらに、海水ＳＤＷの植物性プランクトン濃度は海水ＳＷの植物性プランクトン濃度よりも低い。
【０１１４】
熱交換器１３０Ａ内の海水ＳＤＷは、配管Ｐ６を通って熱交換器１３０Ａから海に放出される。配管Ｐ６の一方の端部Ｐ６ａは熱交換器１３０に接続されており、配管Ｐ６の他方の端部Ｐ６ｂは海中または海水面上方に配置される。
【０１１５】
なお、図７に示した熱交換器１３０Ａは、水槽１２０から離れた位置に配置されたが、本実施形態はこれに限定されない。熱交換器１３０Ａは、水槽１２０の近くに配置されてもよい。
【０１１６】
また、図１、図５から図７に示した養殖システム１００では、水槽１２０は陸地Ｌに配置されたが、本発明はこれに限定されない。水槽１２０は海Ｓに配置されてもよい。
【０１１７】
以下、図８を参照して、本実施形態の養殖システム１００を説明する。図８は、本実施形態の養殖システム１００の模式図である。養殖システム１００は、水槽１２０は海Ｓに配置されている点を除いて、図１を参照して上述した養殖システム１００と同様の構成を有する。このため、冗長な説明を避ける目的で重複する記載を省略する。
【０１１８】
水槽１２０は、海Ｓに配置される。水槽１２０は、海Ｓに浮かぶ船の上に配置されてもよい。または、水槽１２０は、海岸ＳＬに支持されてもよく、海Ｓ上に浮遊して配置されてもよい。この場合、センサ１４２およびセンサ１４４は、水槽１２０の外面に取り付けられることが好ましい。
【０１１９】
なお、図１および図５から図８に示した養殖システム１００では、熱交換器１３０は、地下水ＧＷを用いて海水ＳＷの水温を調整したが、本発明はこれに限定されない。熱交換器１３０は、海水ＳＷとは異なる海水を用いて海水ＳＷの水温を調整してもよい。
【０１２０】
以下、図９を参照して、本実施形態の養殖システム１００を説明する。図９は、本実施形態の養殖システム１００の模式図である。養殖システム１００は、熱交換器１３０が、海水ＳＤＷを用いてポンプ１１０によって汲み上げた海水ＳＷの水温を調整する点を除いて、図１を参照して上述した養殖システム１００と同様の構成を有する。このため、冗長な説明を避ける目的で重複する記載を省略する。
【０１２１】
本実施形態の養殖システム１００では、熱交換器１３０は、海中の海水ＳＤＷを用いて、ポンプ１１０によって汲み上げた海水ＳＷの水温を調整する。
【０１２２】
ポンプ１１２は、海Ｓから海水ＳＤＷを汲み上げる。配管Ｐ３は、海Ｓと熱交換器１３０とを連絡する。ポンプ１１２は、配管Ｐ３に取り付けられる。配管Ｐ３の端部Ｐ３ａは海中に配置されており、配管Ｐ３の端部Ｐ３ｂは熱交換器１３０に接続される。ポンプ１１２によって汲み上げられた海水ＳＤＷは熱交換器１３０に導入される。
【０１２３】
熱交換器１３０内の海水ＳＤＷは、熱交換器１３０から配管Ｐ４を通って外部に放出される。ここでは、海水ＳＤＷは、熱交換器１３０から配管Ｐ４を通って海Ｓに放出される。
【０１２４】
配管Ｐ３の端部Ｐ３ａは、配管Ｐ１の端部Ｐ１ａよりも深い位置に配置される。配管Ｐ３の端部Ｐ３ａは、海Ｓの低層にまで達することが好ましい。例えば、配管Ｐ１の端部Ｐ１ａが水深１ｍ以上１０ｍ以下の位置に配置される場合、配管Ｐ３の端部Ｐ３ａは、水深１５ｍ以上３０ｍ以下の位置に配置されることが好ましい。また、配管Ｐ３の端部Ｐ３ａは、配管Ｐ４の端部Ｐ４ｂよりも深い位置に配置される。この場合、熱交換器１３０は、配管Ｐ３を通過した水温のより低い海水ＳＤＷを用いて、海水ＳＷの水温を調整できる。このように、熱交換器１３０は、海水ＳＷよりも深い位置の海水ＳＤＷを用いて海水ＳＷの水温を調整してもよい。特に、夏に、水温のより低い底層の海水ＳＤＷを用いることにより、水槽１２０内の海水ＳＷの水温を低くできる。
【０１２５】
以上、図面（図１〜図９）を参照して本発明の実施形態を説明した。ただし、本発明は、上記の実施形態に限られるものではなく、その要旨を逸脱しない範囲で種々の態様において実施可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果を実質的に逸脱しない範囲で種々の変更が可能である。
【産業上の利用可能性】
【０１２６】
本実施形態の養殖システムは、水槽内の海水の水温を効率的に調整できる。
【符号の説明】
【０１２７】
１００    養殖システム
１１０    ポンプ
１２０    水槽
１３０    熱交換器
【図１】
2019208373.tif 000003
【図２】
2019208373.tif 000004
【図３】
2019208373.tif 000005
【図４】
2019208373.tif 000006
【図５】
2019208373.tif 000007
【図６】
2019208373.tif 000008
【図７】
2019208373.tif 000009
【図８】
2019208373.tif 000010
【図９】
2019208373.tif 000011